(57)【要約】【課題】感知手段を塞ぐいたずらをされても、通常の使用に支障をきたすことなく無駄な電力消費を最小限に抑えることを目的とする。【解決手段】使用者の洗浄操作を検出する感知手段と、この感知手段による電気的信号に基づきバルブ駆動部を駆動する制御回路と、バルブ駆動部に基づき作動して水を給水するバルブと、前記制御回路駆動用の電源回路と、を備える自動給水装置において、感知手段が、少なくとも２通りの感知周期を有し、感知手段の感知状態が所定時間以上継続したときは、その感知状態の感知手段の感知周期を非感知状態での感知周期よりも長くすることを特徴とする自動給水装置とした。【選択図】図１
2004278089.tif 000002
【特許請求の範囲】
【請求項１】
使用者の洗浄操作を検出する感知手段と、この感知手段による電気的信号に基づきバルブ駆動部を駆動する制御回路と、バルブ駆動部に基づき作動して水を給水するバルブと、前記制御回路駆動用の電源回路と、を備える自動給水装置において、
感知手段が、少なくとも２通りの感知周期を有し、感知手段の感知状態が所定時間以上継続したときは、その感知状態の感知手段の感知周期を非感知状態での感知周期よりも長くすることを特徴とする自動給水装置。
【請求項２】
前記感知周期は、少なくとも３通り有し、感知手段が非感知状態のときから感知状態になったときにその感知状態での感知周期を非感知状態での感知周期から短くし、さらに、感知手段の感知状態が所定時間以上継続したときは、その感知状態での感知周期を非感知状態での感知周期よりも長くすることを特徴とする請求項１に記載の自動給水装置。
【請求項３】
前記感知手段は、使用状態を感知する人体感知手段と、使用者が意識して感知させる手動感知手段とを備え、どちらか一方の感知手段が感知したときに、少なくとも手動感知手段の感知周期を非感知状態での感知周期よりも短くし、さらに、感知している感知手段の感知状態が所定時間以上継続したときは、その感知状態での感知周期を非感知状態での感知手段よりも長くし、他方の感知手段の感知周期を非感知状態の感知周期とすることを特徴とする請求項１に記載の自動給水装置。
【請求項４】
前記感知手段は、連続感知状態から脱却した後、その感知周期を非感知状態のときの感知周期に戻すことを特徴とする請求項１乃至３のいずれか１つに記載の自動給水装置。
【請求項５】
使用者の洗浄操作を検出する感知手段と、この感知手段による電気的信号に基づきバルブ駆動部を駆動する制御回路と、バルブ駆動部に基づき作動して水を給水するバルブと、前記制御回路駆動用の電源回路と、を備える自動給水装置において、
感知手段が、少なくとも３通りの感知周期を有し、感知手段が非感知状態のときから感知状態になったときに、その感知状態での感知周期を非感知状態での感知周期よりも短くし、さらに、感知手段の感知状態が所定時間以上継続したときは、その感知状態での感知周期を非感知状態での感知周期に戻すことを特徴とする自動給水装置。
【請求項６】
前記自動給水装置の通水路に設けた翼車と、この翼車により駆動される発電機と、この発電機により充電可能な前記電源回路用の蓄電池とを有していること特徴とする請求項１乃至５のいずれか１つに記載の自動給水装置。
【発明の詳細な説明】
【０００１】
【発明の属する技術分野】
本発明は、使用状態を感知する人体感知手段や、使用者が意識して手などをかざすことにより感知させる手動感知手段などの感知手段を備えた自動給水装置に関する。
【０００２】
【従来の技術】
昨今は節水や衛生性への世間的な関心が高いことから、便器への自動洗浄装置においては、使用者を感知する人体感知手段と、使用者が意識して手などをかざすなどして洗浄操作を感知する手動感知手段とを設けたものが提案されている。この便器自動洗浄装置においては、使用者が自分の意志で洗浄を行う場合又は洗浄し忘れてトイレから立ち去った場合のどちらで洗浄された場合においても、使用者のトイレブース内の滞在時間に応じて自動的に大便又は小便を判断し、洗浄する給水量を切替えて、必要以上に水を流さないようにして節水を図る便器自動洗浄装置が存在する（例えば、特許文献１参照のこと。）。
【０００３】
また、電磁弁を用いてバルブを開閉させる洗浄装置の電源には、１００Ｖ電源や乾電池を使用してきたが、施工性、メンテナンス性の向上や省エネルギー化のために、通水路に発電機を設けこの発電機の電力を利用して電磁弁を開閉させる技術が公知である（例えば、特許文献２参照のこと。）。
【０００４】
【特許文献１】
特開２００２−１７３９７０号公報
【特許文献２】
特開２０００−３２８６２６号公報
【発明が解決しようとする課題】
【０００５】
特に多数の人が使用する公衆トイレでは、節水性と衛生性を考慮して前述の便器自動洗浄装置を設置するところが増えつつあるが、同時に心無いいたずらも増加している。
例えば、使用者を感知する手段として赤外線センサーを用いた場合は、赤外線センサーの投光窓（受光窓も含む）をガムテープやガムなどで塞いで使用者を検出できなくしてしまうといった事例もある。
【０００６】
このいたずらされた状態が続いた場合、従来の便器自動洗浄装置では赤外線センサーが感知したままの状態となってしまう。そのため、例えば乾電池式の便器自動洗浄装置の場合などは短期間で電池が切れてしまい、ガムテープやガムなどの投光窓を塞いでいたものを取り除いたときには、使用者を感知して洗浄できるように乾電池を交換しなければならないといった不具合が発生していた。
【０００７】
また、通水路上に設けた発電機で発電し、その電力で便器洗浄装置の全ての制御を行なう自己発電式の便器自動洗浄装置では、初期動作用としてバックアップ電池が備えられているのが通例だが、前述したいたずらをされた場合は発電機だけで電力をまかなえなくなり、バックアップ電池の電力を無駄に消費してしまう不具合が発生する可能性もある。そして、乾電池のみを動力源とした場合と同様な不具合が発生する恐れがある。
【０００８】
このようないたずらに対し、電池の寿命を長くする目的で赤外線センサーの投受光周期（感知周期）を長くすることもできる。しかしながら、このように感知周期を長くすると、手動感知手段での感知感度が悪くなり、使用者は手かざし時間を長くしておかなければならい。そのため、通常の使用状態では使用者にとって操作性が悪く感じる不都合が生じる恐れがある。
【０００９】
本発明は、上記不具合を解決するためになされたもので、感知手段を塞ぐいたずらをされても、通常の使用に支障をきたすことなく無駄な電力消費を最小限に抑えることを目的とする。
【００１０】
【課題を解決するための手段】
上記課題を解決する為に、本発明の請求項１は、使用者の洗浄操作を検出する感知手段と、この感知手段による電気的信号に基づきバルブ駆動部を駆動する制御回路と、バルブ駆動部に基づき作動して水を給水するバルブと、前記制御回路駆動用の電源回路と、を備える自動給水装置において、感知手段が、少なくとも２通りの感知周期を有し、感知手段の感知状態が所定時間以上継続したときは、その感知状態の感知手段の感知周期を非感知状態での感知周期よりも長くすることを特徴とする自動給水装置とした。
【００１１】
このように構成することで、通常の使用とは異なり、感知手段がガムテープなどで塞がれたままのいたずら状態で放置してしまうと、洗浄機能が作動しなくなってしまう。この状態においても通常の非感知状態と同じように電力消費をしていることとなるが、本発明のようにすることで電力消費を最小限に抑えることができる。
【００１２】
また、本発明の請求項２では、前記感知周期は、少なくとも３通り有し、感知手段が非感知状態のときから感知状態になったときにその感知状態での感知周期を非感知状態での感知周期から短くし、さらに、感知手段の感知状態が所定時間以上継続したときは、その感知状態での感知周期を非感知状態での感知周期よりも長くすることを特徴とする請求項１に記載の自動給水装置とした。
【００１３】
これにより、通常の使用状態において、使用者を感知した場合に感知周期が短くすると、より感知しやすくなり応答性が向上するが、万が一いたずらにより感知状態となったとしたならば、不必要に電力消費をしてしまう。
そのため、感知状態が所定時間以上継続すると異常状態での感知として認識して、感知周期を非感知状態よりも長くする。つまり、感知手段は、給水するために感知しているのではなく別のなんらかの要因によって感知している異常状態であり、感知手段から給水するための信号は発信されることはない状態といえる。そのため、このように給水信号を発信されることがない状態での電力消費を、感知周期を延ばすことにより通常の待機状態の電力よりも消費を抑えることにより、無駄な電力消費を最小限に抑えることができる。
【００１４】
また、本発明の請求項３では、前記感知手段は、使用状態を感知する人体感知手段と、使用者が意識して感知させる手動感知手段とを備え、どちらか一方の感知手段が感知したときに、少なくとも手動感知手段の感知周期を非感知状態での感知周期よりも短くし、さらに、感知している感知手段の感知状態が所定時間以上継続したときは、その感知状態での感知周期を非感知状態での感知手段よりも長くし、他方の感知手段の感知周期を非感知状態の感知周期とすることを特徴とする請求項１に記載の自動給水装置とした。
【００１５】
これにより、使用状態を感知する人体感知手段と、使用者が意識して感知させる手動感知手段とを備える自動給水装置において、感知状態となったときに手動の感知周期を短くすることで応答性を向上させ、手をかざしたときなどにすぐに反応させることができる。しかしながら、ガムテープなどで感知手段を塞がれるなどのいたずらで感知状態となったとした場合には、その状態が継続されてしまう。そのため、所定時間以上継続したときにはいたずらと認識して、感知されている方の感知周期を長くして不必要に電力消費をさせないようにすることができる。さらに、いたずらされていない感知手段の方は、通常の感知周期にすることで応答性を確保することができる。
【００１６】
また、本発明の請求項４では、前記感知手段は、連続感知状態から脱却した後、その感知周期を非感知状態のときの感知周期に戻すことを特徴とする請求項１乃至３のいずれか１つに記載の自動給水装置とした。
【００１７】
これにより、いたずらなどの連続感知状態から脱却した後は、通常状態に戻るため、最大になっていた感知周期を元に戻しておけば、これ以降に使用するときに感知手段の応答性が悪いという不都合を回避できる。
【００１８】
また、本発明の請求項５では、使用者の洗浄操作を検出する感知手段と、この感知手段による電気的信号に基づきバルブ駆動部を駆動する制御回路と、バルブ駆動部に基づき作動して水を給水するバルブと、前記制御回路駆動用の電源回路と、を備える自動給水装置において、
感知手段が、少なくとも３通りの感知周期を有し、感知手段が非感知状態のときから感知状態になったときに、その感知状態での感知周期を非感知状態での感知周期よりも短くし、さらに、感知手段の感知状態が所定時間以上継続したときは、その感知状態での感知周期を非感知状態での感知周期に戻すことを特徴とする自動給水装置とした。
【００１９】
これにより、通常の使用状態において、使用者を感知した場合に感知周期が短くすると、より感知しやすくなり応答性が向上するが、万が一いたずらにより感知状態となったとしたならば、不必要に電力消費をしてしまう。
そのため、感知状態が所定時間以上継続すると異常状態での感知として認識して、感知周期を通常の待機状態である非感知状態の感知周期に戻すようにした。そのため、通常の待機状態の電力に消費を抑えることにより、無駄な電力消費を抑えることができる。
【００２０】
また、本発明の請求項６では、前記自動給水装置の通水路に設けた翼車と、この翼車により駆動される発電機と、この発電機により充電可能な前記電源回路用の蓄電池とを有していること特徴とする自動給水装置とした。
【００２１】
これにより、通水により発電させて、その発電力を駆動力とする場合において、不必要な電力消費を抑えることで、発電機能を十分に発揮させることができる。
【００２２】
【発明の実施の形態】
以下、本発明の自動給水装置が大便器自動洗浄装置である場合について、図に基づいて説明する。図１は本発明に係わる大便器自動洗浄装置の外観図、図２は発電機を付加した大便器自動洗浄装置の正面断面図、図３は発電機の翼車近傍の上面断面図Ａ−Ａ、図４は大便器自動洗浄装置のシステム全体を示すブロック図、図５は給水量の切替方法ならびに人体感知手段の異常感知の場合を示すフローチャート、図６は手動感知手段の異常感知を示す手動感知手段のフローチャートである。
【００２３】
図１、図４、図５を用いて、この大便器自動洗浄装置の作動の仕組みを簡単に説明する。
トイレブースに入室した使用者が感知領域１に入ると大便器自動洗浄装置２の人体感知手段である赤外線式の人体センサー３が感知状態になり、大便器自動洗浄装置２に内蔵されている制御回路４のカウンタ５が滞在時間Ｔａをカウントし始める。大便器の使用後に、使用者が人体センサー３の感知領域から外れるとカウンタ５のカウントを止める。この滞在時間Ｔａがある所定時間Ｔｘ１（たとえば、２分間）を経過した場合（Ｔａ≧Ｔｘ１）には大便による使用と判断し、電磁弁駆動回路６から電磁弁７へ開時間が長い洗浄信号Ｓ１が送られ大洗浄用の水量を給水する。それ未満の場合（Ｔａ＜Ｔｘ１）は小便による使用と判断し、電磁弁７の開時間が短い洗浄信号Ｓ２が送られ、小洗浄用の水量を給水する。
【００２４】
また、使用者が使用中・使用後に自分の意志で洗浄する場合には、非接触で洗浄可能な手動感知手段である赤外線式の手かざしセンサー８に手を近づけると、前記のカウンタ５の滞在時間Ｔａがある所定時間Ｔｘ１を経過していた場合（Ｔａ≧Ｔｘ１）には大便による使用と判断し、電磁弁駆動回路６から電磁弁７へ開時間が長い洗浄信号Ｓ１が送られ大洗浄用の水量を給水する。それ未満の場合（Ｔａ＜Ｔｘ１）は小便による使用と判断し、電磁弁７の開時間が短い洗浄信号Ｓ２が送られ、小洗浄水量を給水する。なお、人体センサー３が感知していない状態（Ｔａ＝０）の場合に手かざしセンサー８に手を近づけると、大洗浄用の水量を給水する。
【００２５】
次に、この大便器自動洗浄装置２に発電機９を付加した場合について図２および図３に基づき、給水時における発電機の作動の仕組みを説明する。
まず、電磁弁７が開くと、圧力室１０の水が経路１１で抜け、ピストン１２が上昇し、経路１３を通って洗浄水が流れる。電磁弁７が閉じると圧力室１０に水が溜まり、ピストン１２が降下して止水する。この給水で排水側に取り付けられた発電機９の翼車１４が回転すると共に磁石１５も回転するため、コイル１６を通じて給水量に応じた電力が生成される。この電力は蓄電池１７に蓄積される。また、大便器自動洗浄装置２を設置し、初めて作動させるときには、乾電池１８の電力を使用し、以降は蓄電池１７によって全ての制御を行なうものである。
【００２６】
発電機９で得られた電力のみで大便器自動洗浄装置２の全ての制御を行なうためには出来るだけ無駄な電力消費を抑制する必要がある。
そのため、カウンタ５の滞在時間Ｔａが所定の時間（Ｔｘ２）以上継続した場合（Ｔａ≧Ｔｘ２）は、いたずらなどにより異常感知した状態と認識し、人体センサー３の感知状態での感知周期を非感知状態での感知周期（ｔａ１）よりも長くするか、非感知状態での感知周期（ｔａ１）に戻す。
【００２７】
では、特にガムテープなどで人体センサー３や手かざしセンサー８を塞がれた場合の蓄電池１７及び乾電池１８の無駄な電力消費を抑える方法を、図１、図５および図６を用いて説明する。
【００２８】
まず、図１および図５に基づき、いたずらをされてガムテープなどで人体センサー３を塞がれた場合について説明する。
図１における人体センサー３をガムテープなどで塞がれてしまった場合においても、人体センサー３が感知状態となる。
なお、人体センサー３の感知状態での感知周期は、人体センサー３が感知したときも非感知状態での感知周期（ｔａ１）のままを維持することが好ましい。人体センサー３は、便座に座っている人体を感知するため、非感知状態での感知周期（ｔａ１）でも十分に感知することができる。そのため、余計な電力消費を使わないように非感知周期（ｔａ１）よりも短くしないことがより好ましい。
そして、人体センサー３の感知状態が所定時間（Ｔｘ２：たとえば、２０分間）以上経った場合（Ｔａ≧Ｔｘ２）には、人体センサー３が感知状態となったのは大便器を使用している人体を感知したのではなく、なんらかの異常により感知状態となったと認識して、感知状態での感知周期を非感知状態での感知周期（ｔａ１）よりも長い感知周期（ｔａ３）にする。
そのため、異常状態となった場合には、感知状態での感知周期が待機状態である非感知状態での感知周期（ｔａ１）よりも長い感知周期（ｔａ３）とすることで電力消費を抑えることができる。そして、この異常状態から脱却した場合には、感知周期をｔａ１に戻す。
【００２９】
なお、人体センサー３が感知状態のときに非感知状態での感知周期（ｔａ１）よりも短い感知周期（ｔａ２）に切替える人体センサー３とした場合において、所定時間以上継続して感知している異常状態となった場合には、感知周期（ｔａ２）を非感知状態（待機状態）での感知周期（ｔａ１）もしくは非感知状態での感知周期よりも長い感知周期（ｔａ３）にするように制御することが好ましい。この場合は、感知周期（ｔａ１）にした場合には、通常待機状態の電力消費に抑えることができ、感知周期（ｔａ３）にした場合には、さらに電力消費を抑えることができる。
【００３０】
なお、感知状態が所定時間（Ｔｘ２：たとえば、２０分間）以上継続したときに感知を止めてしまうことも可能である。（この場合、感知周期は無限に長くした状態である。）また、感知状態が所定時間（Ｔｘ２：たとえば、２０分間）以上継続したときに感知状態での感知周期を長くし、さらに所定時間（Ｔｘ３：たとえば、２４時間）以上継続状態が長く続く場合には、一旦人体センサーの感知を止めるようにしてもよい。
しかしながら、感知している継続状態から脱却して感知手段が正常に復帰したときに、非感知周期に自動で復帰するためには、感知を止めてしまうと非感知状態を認識できなくなってしまうので、異常状態における感知周期は非感知状態であることを認識できる程度に長くすることが好ましい。
【００３１】
次に、人体センサー３が異常感知状態となった場合の手かざしセンサー８の作動について図５に基づき説明する。
大便器未使用の待機状態の場合、人体センサー３ならびに手かざしセンサー８の感知周期はそれぞれｔａ１、ｔｂ１である。
そして、トイレブースに入室した使用者が感知領域１に入ると大便器自動洗浄装置２の赤外線式の人体センサー３が感知状態になって、手かざしセンサー８の感知周期が非感知状態での感知周期（ｔｂ１）から感知状態での感知周期（ｔｂ２）に切替わる。ここで、感知周期は、ｔｂ１＞ｔｂ２である。これは、使用者がいないときは手かざしセンサー８の感知周期を使用者の使い勝手に影響が出ない程度に長く設定して省電し、使用者を検出すると手かざしセンサー８の応答性を向上させて使い勝手を向上させるために感知周期を短くするものである。また、使用者が人体センサー３の感知領域１から外れると、省電のために再び手かざしセンサー８の感知周期を、非感知状態での感知周期（ｔｂ１）に戻す。
なお、人体センサー３の感知周期は、人体センサー３が感知したときも非感知状態での感知周期（ｔａ１）のままを維持することが好ましい。人体センサー３は、便座に座っている人体を感知するため、非感知状態での感知周期（ｔａ１）でも十分に感知することができる。そのため、余計な電力消費を使わないように非感知周期（ｔａ１）よりも短くしないことがより好ましい。
【００３２】
また、人体センサー３が感知状態でなく、手かざしセンサー８のみが感知状態であった場合や、両方とも感知状態であった場合にも上記と同様な制御を行う。つまり、いずれか一方が感知状態となった場合には、少なくとも手かざしセンサーの感知周期をｔｂ１からｔｂ２に切り替える。そして、非感知状態となった場合には、人体センサー３の感知周期をｔａ１にし、手かざしセンサーの感知周期をｔｂ１にする。
【００３３】
しかしながら、いたずらなどの長時間連続感知時にも上記と同様な制御をしてしまうと、蓄電池１７の電力を無駄に消費してしまうばかりか、乾電池１８の電力をも消費してしまう恐れがある。
【００３４】
そこで、図５に示すように人体センサー３の滞在時間（Ｔａ）が所定時間（Ｔｘ）以上継続したときは、感知している人体センサー３の感知周期を非感知状態での感知周期（ｔａ１）よりも長い感知周期（ｔａ３）に切り替える。
そして、感知していない手かざしセンサー８の感知周期を感知周期（ｔａ２）から非感知周期（ｔａ１）に切り替える。
そのため、異常感知している人体センサー３は、通常の非感知の待機状態よりも電力消費をせず、また、感知していない手かざしセンサー８の方は、通常の非感知の待機状態となるため、不必要に電力消費をしないで済む。また、人体センサー３がいたずらされて異常感知状態となった場合には、感知状態の原因をクリアしない限り（たとえば、ガムテープを感知手段から剥がす、など）、人体センサー３は作動できないが、手かざしセンサー８が通常通りに作動するため、大便器の洗浄機能がまったく停止することはない。なお、この状態で手かざしセンサー８が感知した場合、大洗浄用の水量を給水するようにすることが好ましい。
【００３５】
次に、手かざしセンサー８がいたずらされて手かざしセンサー８の感知時間（Ｔｂ）が所定時間（Ｔｙ）以上継続された場合について図６に基づき説明する。
例えば、手かざしセンサー８にガムテープなどが貼られると、手かざしセンサー８の感知周期を、非感知状態での感知周期（ｔｂ１）から感知状態での感知周期（ｔｂ２）へ切替える。そして、感知状態が所定時間（Ｔｙ：たとえば、１分間）以上継続された場合（Ｔｂ≧Ｔｙ）、手かざしセンサー８の感知周期を、感知状態での感知周期（ｔｂ２）から異常感知状態での感知周期（ｔｂ３）へ切替える。ここで、感知周期は、ｔｂ２＜ｔｂ１＜ｔｂ３である。手かざしセンサー８が塞がれた場合は、使用者は洗浄操作が出来ないので感知周期を長くしても使い勝手上の問題は発生しない。そのため、省電を考えると、異常感知状態での感知周期（ｔｂ３）は上述したように異常状態から脱却したことを認識して感知周期を元に戻せる程度で可能な限り大きい周期に設定するのが望ましい。
【００３６】
そして、ガムテープが剥がされると、前述の手かざしセンサー８の感知周期を、異常感知状態での感知周期（ｔｂ３）から非感知状態での感知周期（ｔｂ１）へ切替える。ここで、感知周期は、上述したようにｔｂ１＜ｔｂ３である。これは、感知周期が長いままだと使用者が手かざしセンサー８の使い勝手に不都合を感じてしまうため、感知周期をｔｂ３からｔｂ１に戻し、Ｔａ及びＴｂをリセットする制御を行う。
なお、手かざしセンサー８は、人体センサー３が感知していない状態（Ｔａ＝０）と、人体センサー３の感知状態が所定時間以上（Ｔａ≧Ｔｘ）継続されている場合、大洗浄とし、人体センサー３の感知状態が所定時間未満（０＜Ｔａ＜Ｔｘ）の場合には、小洗浄とするようにしている。
そして、この洗浄後にＴａ及びＴｂをリセットする。
【００３７】
以上のような制御を行うことで、いたずらなどによるセンサーの連続感知状態での無駄な電力消費を最小限に抑えることが可能となる。なお、発電機９や蓄電池１７などがなく、乾電池１８のみを動力源とする大便器自動洗浄装置２においても、同様な制御が節電に有効であることは明白である。
【００３８】
本実施の形態では、フラッシュバルブを用いた大便器自動洗浄装置について説明したが、これに限定するものではなく、本発明の主旨に逸脱しない限り他の感知手段を有する自動給水装置に適用可能であり、赤外線センサー等の感知手段を備えた種々の装置において応用が可能である。
また、手かざしセンサーの感知周期を切替える方法を説明したが、制御対象が人体センサーであってもよい。感知周期も３タイプで説明したが、感知周期が最低２タイプあり、異常感知状態での感知周期が非感知状態及び感知状態での感知周期より長ければよく、感知周期の数やその周期は任意である。
【００３９】
【発明の効果】
本発明は上記構成により次の効果を発揮する。
感知手段のを塞ぐいたずらをされても、通常の使用に支障をきたすことなく無駄な電力消費を最小限に抑えることが可能となる。
【図面の簡単な説明】
【図１】本発明に係わる大便器自動洗浄装置の外観図である。
【図２】発電機を付加した大便器自動洗浄装置の正面断面図である。
【図３】発電機の翼車近傍の上面断面図Ａ−Ａである。
【図４】大便器自動洗浄装置のシステム全体を示すブロック図である。
【図５】給水量の切替方法ならびに人体感知手段の異常感知を示す人体感知手段のフローチャートである。
【図６】手動感知手段の異常感知状態を示す手動感知手段のフローチャートである。
【符号の説明】
１…感知領域
２…大便器自動洗浄装置
３…人体センサー
４…制御回路
５…カウンタ
６…電磁弁駆動回路
７…電磁弁
８…手かざしセンサー
９…発電機
１０…圧力室
１１…経路
１２…ピストン
１３…経路
１４…翼車
１５…磁石
１６…コイル
１７…蓄電池
１８…乾電池
Ｔａ…滞在時間
Ｔｂ…手かざしセンサーの感知時間
Ｔｘ１…大便と小便を区別する所定時間
Ｔｘ２…異常を認識する所定時間
Ｔｘ…人体センサーが異常を認識する所定時間
Ｔｙ…手かざしセンサーが異常を認識する所定時間
Ｓ１…電磁弁の開時間が長い洗浄信号
Ｓ２…電磁弁の開時間が短い洗浄信号
ｔａ１…人体センサーの非感知状態での感知周期
ｔａ２…人体センサーの感知状態での感知周期
ｔａ３…人体センサーの異常感知状態での感知周期
ｔｂ１…手かざしセンサーの非感知状態での感知周期
ｔｂ２…手かざしセンサーの感知状態での感知周期
ｔｂ３…手かざしセンサーの異常感知状態での感知周期
【図１】
2004278089.tif 000003
【図２】
2004278089.tif 000004
【図３】
2004278089.tif 000005
【図４】
2004278089.tif 000006
【図５】
2004278089.tif 000007
【図６】
2004278089.tif 000008